(57)【要約】【課題】使用後はコンパクトに折畳んで収納でき、密封性が高く衛生的な後処理が容易で着用感を阻害しない廃棄処理手段を有する使い捨ておむつを提供する。【解決手段】使用後の使い捨ておむつを収納する廃棄処理袋をその幅がおむつ本体より小さくなるようにマチ部などで左右を折畳んだ上、その底部を股下部より上方位置で本体後背部ないし前腹部の外面に接合する。  袋の上端開口部が本体寄りになるようにその長手縦方向をアコーディオン状に三つ折りする。  開口端部の本体側にフラップ部を延長形成して反転二つ折りし、折り目を挟んで本体側と袋側に設けた粘着剤層によりウェストバンド部下方位置で各相手面に止着する。廃棄処理時は、該止着部を袋側、本体側の順に剥離して袋の折畳み部を展開させた上、その底部から上部にかけて表裏反転させながら使用後のおむつを包み込んだ後、袋開口部を折畳んで閉じた上、前記の粘着剤層を有するフラップ部で封止密閉する。【選択図】図１
2014193224.tif 000002
【特許請求の範囲】
【請求項１】
液吸収層を挟んで内面側を液透過性シート、外面側を液不透過性シートで覆った積層素材により、股下部、前腹部及び後背部が構成されるパンツ型ないし腰部左右を止着テープで止める方式の使い捨ておむつにおいて、
液不透過性の廃棄処理用収納袋をそのマチ部により折畳んだ幅がおむつ本体の幅より小さくなるようにし、袋底部はおむつ本体の後背部または前腹部の外面に股下部上方位置において接合し、袋上端開口部がおむつ本体寄りになるようにその長手縦方向をアコーディオン状に三つ折りにし、袋上端開口部のおむつ本体側端部にはフラップ部を延長形成してその高さ方向中間位置で反転山折り状に二つ折りし、該フラップ部表面に設けた粘着剤層によりフラップ部の前記折り目を挟んで先端側は袋の第１折畳み線側、付け根側はおむつ本体側において各々剥離処理された相手面に対して、前者側の接着面積を後者側より少なくして、おむつのウェストバンド部下方位置において剥離可能に止着し、
使用後のおむつの廃棄処理時には、前記フラップ部による止着部を外側から収納袋第１折畳み線側、おむつ本体側の順に剥離して収納袋の折畳み部を展開させた上、その底部から上部にかけて該収納袋の内外面を表裏反転させながら使用後のおむつを折畳んで包み込んだ後、袋上端開口部を折畳んで閉じた上、前記の粘着剤層を有するフラップ部で封止密閉することにより、
使用後の使い捨ておむつを折畳んで完全に収納できる余裕ある容量を有し、密封性が高い封止構造により衛生的で清潔な後処理が容易にでき、使用時の着用感も阻害しないコンパクトな廃棄処理手段を具備することを特徴とする使い捨ておむつ。
【請求項２】
マチ部がなく、その相当分が幅広となった収納袋の左右両翼部分を折畳んでおむつ本体の幅より小さくし、折畳み後の幅における袋底部をおむつ本体の後背部または前腹部の股下部上方位置において接合し、袋上端開口部の折畳み後の幅におけるおむつ本体側端部にはフラップ部を延長形成した請求項１の使い捨て型おむつ。
【発明の詳細な説明】
【技術分野】
【０００１】
本発明は、使用後の廃棄処理を衛生的かつ容易に行える収納手段を有する使い捨て型おむつに関するものである。
【背景技術】
【０００２】
使い捨て型のおむつは、液吸収層を挟んで内面側を液透過性シート、外面側を液不透過性シートで覆った積層素材により、股下部、前腹部及び後背部が構成され、パンツ型の他、腰部左右を止着テープで止める方式があり、乳幼児用や介護用として広く普及している。
【０００３】
とくに乳幼児との外出時において、おむつ使用後の廃棄処理時には、装着されている廃棄時止着用テープなどを使用しておむつを丸めて保持したり、持参したビニール袋などに収納した上で廃棄設備のある場所まで携行するケースも少なくない。
【０００４】
前記のように使用後のおむつを丸めて止着用テープなどで止めただけの状態では、汚物の一部や臭いが外部に漏れて不衛生となったり周囲に迷惑をかける可能性も少なくない。  また、廃棄収納用に適した袋を常時携行していない場合もある。
【０００５】
このため、おむつ本体の外装の一部を二重にして開口部とポケット部を一体化内蔵して設け、使用後のおむつを丸めた上、ポケット部を裏返してその中に収納する方式も考案されている。  しかしながら、おむつ本体内に一体化できる収納部の容量には限度があり、
丸めたおむつの収納性や作業の衛生及び封止部の密閉性確保などに課題もある。
【０００６】
これらの課題を解決し、使用後の使い捨ておむつを折畳んで容易に収納できる余裕ある容量が確保でき、汚物や臭いが外部に漏れない十分な密封性を有し、衛生的で清潔な後処理が簡単な操作で可能な廃棄処理手段を着用感や外観を損なうことなく具備する使い捨ておむつの提供が期待される。
【先行技術文献】
【特許文献】
【０００７】
【特許文献１】特許公開２０１０−５２７０
【特許文献２】特許公開２００６−２０４６９８
【特許文献３】特許公開２００６−１６７１９５
【特許文献４】特許公開２００４−２２９８１５
【特許文献５】特許公開２００２−１３６５４６
【特許文献６】特許公開２００２−１２６００３
【特許文献７】特許公開２００２−４５４０１
【特許文献８】特許公開２００１−３４２４４３
【特許文献９】特許公開２０００−２７９４４８
【特許文献１０】特許公開２０００−１０７２２６
【特許文献１１】特許公開平１１−５６９０４
【特許文献１２】特許公開平１１−１９１２５
【特許文献１３】特許公開平１１−１３７６０２
【特許文献１４】実用新案公開平６−９６２１
【特許文献１５】実用新案公開平５−２１９３５
【非特許文献】
【０００８】
【非特許文献１】社団法人  日本衛生材料工業連合会  ホームページ  紙おむつの種類    http://www.jhpia.or.jp/product/diaper/data/type.html
【発明の概要】
【発明が解決しようとする課題】
【０００９】
使い捨ておむつを使用後にコンパクトに折畳んで完全に収納でき、密封性が高い封止構造を有することにより、衛生的な後処理が容易にでき、かつ使用時の着用感を阻害しない廃棄処理手段を具備する使い捨ておむつを提供する。
【課題を解決するための手段】
【００１０】
使用後の使い捨ておむつを折畳んで収納する最適容量の廃棄処理袋をその折畳み幅がおむつ本体の幅より小さくなるようにマチ部などで左右を折畳んだ上、その底部をおむつ本体の股下部より上方位置で本体後背部ないし前腹部の外面に接合する。  袋の上端開口部がおむつ本体寄りになるようにその長手縦方向をアコーディオン状に三つ折りにする。  袋開口部のおむつ本体側端部にフラップ部を延長形成し、その高さ方向中間位置で反転山折り状に二つ折りする。
前記フラップ面に設けた粘着剤層により、折り目を挟んでフラップの先端側を袋の第１折畳み線側に、付け根側をおむつ本体側に対して、前者側の接着面積を後者側より少なくして、各々ウェストバンド部下方位置において剥離可能に止着する。
廃棄処理時は、前記のフラップ面の止着部を外方の袋側、本体側の順に剥離して袋の折畳み部を展開させた上、その底部から上部にかけて内外面表裏反転させながら使用後のおむつを折畳んで包み込んだ後、袋上端開口部を折畳んで閉じた上、前記の粘着剤層を有するフラップ部で再接着して封止密閉する。
【発明の効果】
【００１１】
本発明の使い捨ておむつによれば、使用後の廃棄処理時には、おむつ本体部外面に折畳んで装着された廃棄処理用収納袋を容易に展開し、内外面を表裏反転させながらその中に使用後のおむつを折畳んで完全に収納しコンパクトに密封できるため、汚物や臭いが外部に漏れず、かつ収納袋の清浄面を外面にできることにより衛生的で清潔な後処理が簡単な操作で可能となる。
折畳んだ収納袋のおむつ本体への一部仮止め用と使用後のおむつを収納後の封止密閉用とにフラップ部の粘着剤層が有効に再利用される上、袋上端開口端部のフラップ面に粘着剤層があるため、円滑なおむつ収納過程を妨げることもない。
廃棄処理用収納袋部は、おむつ本体内に一体化せずその外面に独立的に装着されるため、余裕ある最適容量が設定でき、使用後のおむつの収納性と密閉性及び衛生面で優れる。
このため、とくに外出時などにおいて周囲にも迷惑をかけずに処理後のおむつを衛生的に携行できるような密封性が高い廃棄処理用収納袋などを別途常時保持する必要も無くなる。
使用前の廃棄処理用収納袋は、コンパクトに折畳んでおむつ本体のウェストバンド部と股下部との間の外面にフラットに装着されるため、着用感や外観を阻害することもない。
【図面の簡単な説明】
【００１２】
【図１】廃棄処理用収納袋の折畳み装着状態を示す背面図及び側面図
【図２】廃棄処理用収納袋の折畳み装着方法を示す側面図及び部分拡大説明図
【図３】廃棄処理用収納袋の折畳み仮止め粘着部の剥離方法を示す部分拡大説明図
【図４】廃棄処理用収納袋の折畳み部展開状態を示す背面図〔実施例１〕
【図５】廃棄処理用収納袋の折畳み部展開状態を示す背面図〔実施例２〕
【図６】廃棄処理用収納袋への収納プロセスを示す一部断面側面図
【図７】廃棄処理用収納袋への収納プロセスを示す一部断面正面図１
【図８】廃棄処理用収納袋への収納プロセスを示す一部断面正面図２
【図９】廃棄処理用収納袋への折畳み収納状態を示す正面図
【図１０】廃棄処理用収納袋への折畳み収納状態を示す一部断面側面図
【発明を実施するための形態】
【００１３】
本発明による使い捨ておむつの全体構成を図１の背面図及び側面図に示す。  使い捨ておむつは、液吸収層を挟んで内面側を液透過性シート、外面側を液不透過性シートで覆った積層素材により、股下部、前腹部及び後背部が構成され、図１のようなパンツ型や腰部左右を止着テープで止める方式がある。
本発明は、使い捨ておむつ本体部１の後背部１２または前腹部１１の外面に使用後の使い捨ておむつを収納する液不透過性の廃棄処理用収納袋部２を折畳んで装着した基本構成からなる。
【００１４】
前記の廃棄処理用収納袋部２は、その左右をマチ部などで折畳んだ幅がおむつ本体部１の幅よりも小さくなるようにし、該収納袋部の底部２１は股下部１３の上方位置においておむつ本体部１の外面に接合する。  その長手縦方向はアコーディオン状に三つ折りにしてその上端開口部周りをウェストバンド部１６の下方位置において剥離可能に止着する。
【００１５】
廃棄処理用収納袋部２の折畳み装着状態の側面図とその止着仮止め方法の部分拡大説明図を図２に示す。  
廃棄処理用収納袋の上端開口部２２がおむつ本体寄りになるようにその長手縦方向を第１折畳み線２６及び第２折畳み線２７でアコーディオン状に三つ折りにする。  該収納袋上端開口部２２のおむつ本体側端部に封止用フラップ部２５を延長形成してその高さ方向中間位置で反転山折り状に二つ折りし、該フラップ部表面に設けた粘着剤層２５ｃにより前記のフラップ中間反転山折り線２５ｄを挟んで先端側は収納袋側仮止め部２５ｂ、付け根側はおむつ本体側仮止め部２５ａにおいて各々剥離処理された相手面に対しておむつのウェストバンド部下方位置において剥離可能に止着する。
【００１６】
おむつ本体部１へ折畳んで装着した廃棄処理用収納袋部２の仮止め粘着部の剥離方法を図３の部分拡大説明図に示す。
使用後のおむつの廃棄処理時には、前記の封止用フラップ部２５による仮止め粘着部を外側から、収納袋の第１折畳み線２６の周辺を摘まむか、該フラップ部２５において粘着剤が塗布されていない剥離時把持部２５ｅとの隙間に指先を挿入して収納袋側仮止め部２５ｂを剥離する。  続いてフラップ中間反転山折り線２５ｄより先端側の剥離されたフラップ部分にある剥離時把持部２５ｅを摘まんで引張り、おむつ本体側仮止め部２５ａを剥離する。
【００１７】
おむつ本体部１へ折畳んで装着した廃棄処理用収納袋部２の仮止め粘着部を剥離して展開した状態を図４及び図５の各例に示す。
封止用フラップ部２５の粘着剤層２５ｃの塗布面積は、フラップ中間反転山折り線２５ｄを挟んで先端側が収納袋上端開口部２２側より少なくし、フラップ先端側の収納袋側仮止め部２５ｂがおむつ本体側仮止め部２５ａよりも少ない力で先に剥離し、その後、おむつ本体側仮止め部２５ａが二段階で剥離することにより、収納袋の展開操作を円滑で容易にしている。
【００１８】
展開した廃棄処理用収納袋部２の中におむつ本体部１を折畳んで収納するプロセスを図６、図７及び図８に示す。
おむつ本体部１は上下に二つ折りし、収納袋底部おむつ本体接合部２１を下方にして廃棄処理用収納袋部２の内外面表裏を反転させながらその開口部２２を上方に向けて迫り上げ、おむつ本体部１を該収納袋内底部に納めて包み込む。
【００１９】
収納袋上端開口部２２は、その左右両側を開口部両端折込み線２８で斜め内側に折込んで閉じた上、封止用フラップ部２５の粘着剤層２５ｃを内側にして図９の正面図及び図１０の断面図のように閉じ、封止用フラップ部２５を該収納袋部２の外面に再接着して封止密閉する。
【実施例】
【００２０】
本発明による使い捨ておむつは、図１に示すようなパンツ型における実施例の他、股下部を挟んで後背部と前腹部を腰部左右において止着テープで止める方式の使い捨ておむつにも適用できる。
また、廃棄処理用収納袋部２は、使い捨ておむつの後背部側に限らず、前腹部側の外面に装着する形態もある。
【００２１】
封止用フラップ部２５によるおむつ本体側仮止め部２５ａ及び収納袋側仮止め部２５ｂの高さ位置は、図２の実施例のように第１折畳み線２６の近傍直下に限らず、その下方であっても良い。
また、封止用フラップ部２５の表面に設ける粘着剤層２５ｃは、図４の実施例のようにフラップ中間反転山折り線２５ｄを挟んで付け根側では、おむつ収納後の封止機能を高めるために全面的に設け、先端側では左右両側のみとしてその中間部に剥離時把持部２５ｅを形成し、仮止め部の剥離操作と封止密閉時の把持操作を容易にしている。
【００２２】
廃棄処理用収納袋部２は、必要な収納容量を確保すると共に、コンパクトに折畳んでおむつ本体部１に装着するために、図４の実施例に示すマチ部を有する形態の他、図５の実施例のように幅広の左右両翼部を折り畳んでおむつ本体部の幅より小さくする方式もある。  また、収納時のおむつ本体部は、図７の実施例のように上下に二つ折りするのみでなく、さらにその左右両側も中央寄りに折畳んで収納幅を減少させることにより、廃棄処理用収納袋部２の左右両側を折り畳むことなく、その装着幅をおむつ本体部の幅に収める実施形態もある。
【産業上の利用可能性】
【００２３】
対象となる使い捨ておむつの形態は、パンツ型の他、展開型（テープ止め型）にも適用できる。  また、乳幼児用に限らず、介護用のおむつなどにも広く応用可能である。
【符号の説明】
【００２４】
１  使い捨ておむつ本体部
11  前腹部
12  後背部
13  股下部
14  ウェスト開口部
15  レッグ開口部
16  ウェストバンド部
17  廃棄処理用収納袋底部接合部
２  廃棄処理用収納袋部
21  収納袋底部おむつ本体接合部
22  収納袋上端開口部
23  マチ部
24  袋幅両翼折畳み展開部
25  封止用フラップ部
25a  おむつ本体側仮止め部
25b  収納袋側仮止め部
25c  粘着剤層
25d  フラップ中間反転山折り線
25e  剥離時把持部
26  第１折畳み線
27  第２折畳み線
28  開口部両端折込み線
【図１】
2014193224.tif 000003
【図２】
2014193224.tif 000004
【図３】
2014193224.tif 000005
【図４】
2014193224.tif 000006
【図５】
2014193224.tif 000007
【図６】
2014193224.tif 000008
【図７】
2014193224.tif 000009
【図８】
2014193224.tif 000010
【図９】
2014193224.tif 000011
【図１０】
2014193224.tif 000012